(57)【要約】【課題】この発明は利用者のいびきを録音することができるようにしたいびき録音用枕を提供することにある。【解決手段】枕本体３と、枕本体に設けられ録音機８と接続されるマイクロフォン７とを具備する。【選択図】      図２
2006262914.tif 000002
【特許請求の範囲】
【請求項１】
枕本体と、
この枕本体に設けられ録音機と接続されるマイクロフォンと
を具備したことを特徴とするいびき録音用枕。
【請求項２】
上記枕本体は弾性材料によって形成されていて、上記マイクロフォンはこの枕本体に埋め込まれていることを特徴とする請求項１記載のいびき録音用枕。
【請求項３】
上記枕本体の幅方向両端部には中央部に比べて盛り上がった土手部が形成されていて、一対の土手部に上記マイクロフォンがそれぞれ感音部を上記枕本体の幅方向内方に向けて設けられていることを特徴とする請求項１記載のいびき録音用枕。
【請求項４】
上記枕本体の高さを調整する高さ調整手段を有することを特徴とする請求項１記載のいびき録音用枕。
【請求項５】
上記高さ調整手段は上記枕本体の下面に設けられる所定の厚さの調整シートであり、
上記枕本体は開口部を有する袋状に縫製された外装カバーに収容され、この外装カバーは上記枕本体とともに上記調整シートを収容可能な大きさに形成されていて、
上記開口部には、上記外装カバーに上記枕本体とともに上記調整シートが収容されるか否かに応じて上記開口部の大きさを調整し上記外装カバーの弛みを取り除く弛み除去手段が設けられていることを特徴とする請求項４記載のいびき録音用枕。
【発明の詳細な説明】
【技術分野】
【０００１】
この発明は利用者の睡眠中のいびきを録音するためのいびき録音用枕に関する。
【背景技術】
【０００２】
最近、睡眠中に呼吸が止まる、睡眠時無呼吸症候群が注目されている。睡眠時無呼吸症候群には脳の機能障害が原因となる中枢性、睡眠時の気道の確保ができないことが原因となる閉塞性及び中枢性と閉塞性との両方が混合している場合などがあり、睡眠時無呼吸症候群は十分に寝ているつもりでも寝不足に陥り、昼間に強い眠気が催してたとえば交通事故を招くなどの虞がある。
【０００３】
睡眠時無呼吸症候群は、いびきがひどくなり、鼻や喉の奥の空気の通り道である気道が閉塞されることで生じると考えられている。睡眠時無呼吸症候群の最大の原因は肥満であるとされていて、呼吸が止まっているときには一種の酸欠状態となるから、酸素が体に十分に供給されないことになる。したがって、上述したように睡眠不足となってストレスが増加し、高血圧、心筋梗塞、脳梗塞などを誘発する一因になると考えられている。
【０００４】
睡眠時無呼吸症候群は睡眠中に１０秒以上の呼吸停止が１時間に１０回以上あるかどうかが診断の基準になっている。そのため、診断を受ける場合には、顔や手などにさまざまなセンサを取付け、腹筋の活動や脳波、眼球運動、血液中の酸素飽和度などを同時に調べるということが行われていた。
【発明の開示】
【発明が解決しようとする課題】
【０００５】
睡眠時無呼吸症候群であるか否かを上述した方法によって診断を受けるには、それなりの設備を備えた病院に入院しなければならない。そのため、睡眠時無呼吸症候群の診断を受けるのが煩わしいということがあった。つまり、睡眠中におけるいびきの状態は健康状態に大きな係りをもつものであるが、睡眠中のいびきの状態を容易に知ることができないということがあった。
【０００６】
この発明は、たとえば睡眠時無呼吸症候群などの場合に、利用者の睡眠中のいびきを簡単かつ確実に録音することで、睡眠中のいびきの状態を知ることができるようにしたいびき録音用枕を提供することにある。
【課題を解決するための手段】
【０００７】
請求項１の発明は、枕本体と、
この枕本体に設けられ録音機と接続されるマイクロフォンと
を具備したことを特徴とするいびき録音用枕にある。
【０００８】
上記枕本体は弾性材料によって形成されていて、上記マイクロフォンはこの枕本体に埋め込まれていることが好ましい。
【０００９】
上記枕本体の幅方向両端部には中央部に比べて盛り上がった土手部が形成されていて、一対の土手部に上記マイクロフォンがそれぞれ感音部を上記枕本体の幅方向内方に向けて設けられていることが好ましい。
【００１０】
上記枕本体の高さを調整する高さ調整手段を有することが好ましい。
【００１１】
上記高さ調整手段は上記枕本体の下面に設けられる所定の厚さの調整シートであり、
上記枕本体は開口部を有する袋状に縫製された外装カバーに収容され、この外装カバーは上記枕本体とともに上記調整シートを収容可能な大きさに形成されていて、
上記開口部には、上記外装カバーに上記枕本体とともに上記調整シートが収容されるか否かに応じて上記開口部の大きさを調整し上記外装カバーの弛みを取り除く弛み除去手段が設けられていることが好ましい。
【発明の効果】
【００１２】
この発明によれば、枕本体に録音機と接続されるマイクロフォンを設けたので、このマイクロフォンを通じて利用者の睡眠中のいびきを録音することができるから、そのいびきの音の状態で利用者の健康状態、たとえば睡眠時無呼吸症候群であるか否かなどを診断することが可能となる。
【発明を実施するための最良の形態】
【００１３】
以下、この発明の実施の形態を図面を参照して説明する。  
図１乃至図３はこの発明の第１の実施の形態を示す。図１は利用者Ｕがマットレスなどの寝具１上に仰臥して就寝している状態を示す側面図で、この利用者Ｕはこの発明に係る枕２を用いている。図２と図３に示すように、上記枕２はたとえばウレタンフォームなどの弾性材によって形成された枕本体３を有する。この枕本体３は袋状に縫製された外装カバー４によって被覆されている。
【００１４】
上記枕本体３は幅方向両端部が中央部に比べて高く盛り上がった土手部５に形成されていて、幅方向中央部が利用者Ｕの頭部Ｈを支持する載置部６となっている。一対の土手部５にはそれぞれマイクロフォン７が埋め込まれている。
【００１５】
つまり、マイクロフォン７は先端の感音部７ａを枕本体３の幅方向内方に向けて上記土手部５に埋設されている。各マイクロフォン７のコード７ｂは外装カバー４に設けられた図示しない孔から外部に導出され、ラジオカセットやＩＣレコーダなどの録音機８（図２に示す）に電気的に接続されるようになっている。
【００１６】
このように、枕２を形成する枕本体３にマイクロフォン７を設け、このマイクロフォン７を録音機８に電気的に接続したことで、利用者Ｕの就寝中のいびきを上記録音機８に録音することができる。
【００１７】
そのため、利用者Ｕの就寝中のいびきを録音した録音機８或いは録音機８の記録媒体を医師に持ち込んだり、通信手段を用いるなどして聞いてもらうことで、利用者Ｕの睡眠時のいびきの状態から、たとえば無呼吸症候群であるか否かを診断してもらうことが可能となる。
【００１８】
つまり、睡眠時無呼吸症候群の場合にはいびきの音がひどくなるから、専門の医師であれば、録音されたいびきから利用者Ｕが睡眠時無呼吸症候群であるか否かを診断することが可能となる。そのため、利用者Ｕがたとえば多忙な場合などであっても、病院に入院して検査を受けることなく、睡眠時無呼吸症候群の診断をしてもらうことが可能となる。
【００１９】
また、異常な状態のいびきをかくのは睡眠時無呼吸症候群の場合だけでなく、他の病気が原因のこともある。したがって、睡眠中のいびきの状態を知ることで、他の病気を発見できるということもある。
【００２０】
上記枕本体３は弾性材料によって形成され、この枕本体３にマイクロフォン７を埋め込むようにしている。そのため、枕本体３にマイクロフォン７を設けても、その硬さが利用者に伝わり難いから、枕２の性能を損なうことがほとんどない。
【００２１】
上記マイクロフォン７は、枕本体３の利用者Ｕが頭部Ｈを載置する載置部６の両側の土手部５に設けている。そのため、そのことによっても枕本体３に設けられたマイクロフォン７に利用者Ｕの頭部Ｈが当たり難いため、利用者Ｕが不快感を覚えるということがほとんどない。
【００２２】
しかも、マイクロフォン７は一対の土手部５にそれぞれ感音部７ａを載置部６の方向に向けて設けるようにしたから、これらマイクロフォン７は利用者Ｕの載置部６に載置された頭部Ｈの両側に位置する。
【００２３】
そのため、利用者Ｕのいびきを一対のマイクロフォン７によって確実に録音することができる。また、利用者Ｕが寝返りを打つなどして頭部Ｈの向きが変わっても、少なくとも一方のマイクロフォン７が利用者Ｕの顔面に対向するため、利用者Ｕのいびきを確実に録音することが可能となる。つまり、いびきの録音を確実に行えるから、いびきから睡眠時無呼吸症候群であるか否かを診断することも確実に行える。
【００２４】
上記一実施の形態では枕本体の幅方向両端部に土手部を形成したが、枕本体には土手部がなくても差し支えなく、その場合、ほぼ平坦な枕本体の幅方向両端部にマイクロフォンを埋め込めばよい。
【００２５】
また、マイクロフォンは枕本体に埋め込まず、たとえば枕本体を被覆した外装カバーに袋部を形成し、この袋部に収容して設けるようにしてもよい。その場合も、マイクロフォンは枕本体の幅方向両側に設けるようにすることが好ましい。
【００２６】
また、枕本体を弾性材料であるウレタンフォームによって形成する場合について説明したが、枕本体はウレタンフォーム以外の材料、たとえば籾殻や樹脂などの粒状物を主体として形成するようにしてもよい。
【００２７】
図４（ａ）、（ｂ）はこの発明の第２の実施の形態を示す。この実施の形態の枕２Ａは、図４（ａ）に示すように幅方向はほぼ平坦であるが、幅方向と交差する前後方向の一端部と他端部との厚さが異なる形状をしている。
【００２８】
上記枕２Ａは、高さ調整手段１１によって利用者が使用する場合の高さを変えることができるようになっている。この高さ調整手段１１は、たとえば厚さが１ｃｍ程度の複数の高さ調整シート１２からなり、上記枕２Ａの下面に必要に応じた枚数を積層することで、上記枕２の支持高さを調整することができる。
【００２９】
なお、この実施の形態においても上記一実施の形態と同様、上記枕２Ａの枕本体３は、たとえばウレタンフォームなどの弾性材料によって形成されており、そこには幅方向の両端部に先端の感音部７ａを幅方向の内方に向けて一対のマイクロフォン７が設けられている。これらのマイクロフォン７が図２に示すように録音機８に接続される。
【００３０】
このように、枕２の支持高さを調整することで、利用者Ｕの寝姿勢を変えることができる。たとえば、利用者Ｕが仰臥（仰向きの状態）して睡眠する場合には図４（ａ）に示すように調整シート１２を用いずに枕２の高さを低くして就寝する。
【００３１】
しかしながら、利用者Ｕが仰向きの状態で就寝し、いびきを録音機８で録音した場合にいびき音が大きいことがある。そのような場合、いびきの原因が睡眠時無呼吸症候群であったり、他の病気であったり、さらには仰向き状態であるために気道が十分に確保できないためであるなどの原因が考えられる。
【００３２】
そこで、録音したいびき音が大きい場合、その原因の１つである寝姿勢を変えてみる必要がある。図４（ｂ）は枕２の下面に複数、たとえば７枚の調整シート１２を設け、その高さをたとえば図４（ａ）の状態よりも７ｃｍ高くしている。
【００３３】
このようにして高くした枕２を利用すれば、利用者Ｕは楽に横向きの姿勢をとって就寝することができる。つまり、横向きの姿勢をとる場合、枕２の上面に側頭部を載せると、一方の肩幅が下方に向くが、枕２が高く支持されているため、肩が圧迫されることなく、横向きの姿勢を楽にとることが可能となる。
【００３４】
横向きの状態で就寝した場合のいびきを録音する。そして、横向きで就寝したときと、仰向きで就寝したときとのいびきを比較しみる。それによって、仮に横向きの方がいびきの音が小さいような場合、いびきの原因が寝姿勢の違い、つまり横向きで気道が確保されたためであると判断することができる。また、枕２の支持高さを７ｃｍから５ｃｍに低くするなど、その支持高さを変えていびきを録音すれば、いびきをかきにくい枕２の高さを知ることもできる。
【００３５】
この実施の形態において、枕を所定の高さで支持するための高さ調整手段は調整シートに限られず、エアーバックを用い、充填する空気圧を変えたり、リンク機構によって載置板の高さを変えることができるようにし、この載置板に枕を載置するようにしてもよく、要は枕の支持高さの調整ができるものであればよい。
【００３６】
図５（ａ）、（ｂ）と図６（ａ），（ｂ）はこの発明の第３の実施の形態の枕２Ｂを示す。この実施の形態の枕２Ｂは枕本体３の高さを調整シート１２を用いて調整する場合、この調整シート１２を枕本体３とともに外装カバー１４内に収容できるようにした。
【００３７】
すなわち、外装カバー１４はたとえば伸縮性を有する布地によって開口部１５を有する袋状に形成されている。この外装カバー１４の高さ寸法は、枕本体３の高さ寸法よりも大きく、しかも枕本体３の下面に図６（ａ）に示すように調整シート１２を複数枚、たとえば７枚積層したときの高さ寸法よりも小さく設定されている。この実施の形態では調整シート１２を３枚積層したときの高さ寸法とほぼ同じに設定されている。
【００３８】
上記開口部１５の内周縁には挿通部１６が全長にわたって縫製されていて、その挿通部１６には図５（ｂ）に示すように弛み除去手段としてのゴム紐１７が挿通されている。ゴム紐１７は復元力によって開口部１５の開口を小さくするよう収縮している。つまり、挿通部１６に設けられたゴム紐１７の長さは、この挿通部１６の全長よりも短く設定されている。
【００３９】
図５（ａ）、（ｂ）は外装カバー１４に枕本体３だけを収容した場合の上面側から見た斜視図と、下面側から見た斜視図であって、外装カバー１４は開口部１５を枕本体３の下面側に位置させている。この場合、外装カバー１４は調整シート１２を収容しないため、枕本体３よりも高さ寸法が大きい分だけ余ってだぶつくが、余った分はゴム紐１７が開口部１５を小さくする方向に収縮することで、枕本体３の下面側に寄せ集められる。
【００４０】
したがって、外装カバー１４に枕本体３だけを収納した状態であっても、この外装カバー１４は大きなたるみが生じることのない状態で枕本体３を収容するから、外観的に良好であるばかりか、枕２として使用し難くなるということもない。しかも、外装カバー１４が収縮性を有する布地によって形成されているため、そのことによっても外装カバー１４が収縮してたるみが生じ難い。
【００４１】
図６（ａ），（ｂ）は外装カバー１４に枕本体３と複数枚の調整シート１２とを一緒に収容した場合の上面側から見た斜視図と、下面側から見た斜視図であって、上記外装カバー１４には枕本体３とともにその下面に積層された７枚の調整シート１２が収容されている。
【００４２】
枕本体３と７枚の調整シート１２がなす高さ寸法は外装カバー１４の高さ寸法よりも大きくなる。そのため、枕本体３と７枚の調整シート１２を収容した外装カバー１４は、開口部１５に設けられたゴム紐１７が伸びて図６（ｂ）に示すように開口部１５が大きくなることで、全体の高さ寸法が高くなった分を吸収する。しかも、伸縮性を有する外装カバー１４の布地が伸びることによっても高さ寸法が大きくなった分を吸収する。
【００４３】
したがって、外装カバー１４はほとんど弛みのない状態で枕本体３と調整シート１２を収容するから、外観的に良好であるばかり、外装カバー１４の弛みによって使用し難くなるということもない。
【００４４】
図７はこの発明の第３の実施の形態の枕２Ｃを示し、この実施の形態の枕２Ｃは弛み除去手段の変形例を示す。この実施の形態の弛み除去手段は、外装カバー１４に形成された挿通部１６に第２の実施の形態に示されたゴム紐１７に代わり、伸縮性のない繊維などの材料によって作られた紐状部材２１が挿通されている。この紐状部材２１の両端部は上記挿通部１６に形成された図示しないスリットから導出されている。
【００４５】
したがって、このような構成によれば、外装カバー１４に枕本体３とともに調整シート１２を収容するか否かによって全体の高さ寸法が変化したならば、その変化に応じて紐状部材２１を締めたり緩めたりして結んで開口部１５の大きさを変えれば、外装カバー１４に弛みが生じないようにすることができる。
【図面の簡単な説明】
【００４６】
【図１】この発明の一実施の形態を示す就寝時に利用者が枕を利用している状態の側面図。
【図２】利用者が頭部を乗せた状態を示す枕の一部を断面した図。
【図３】枕の平面図。
【図４】（ａ）はこの発明の第２の実施の形態を示す枕の斜視図、（ｂ）は枕の支持高さを高くした状態の斜視図。
【図５】この発明の第２の実施の形態を示し、（ａ）は外装カバーに枕本体だけを収容した枕を上面側から見た斜視図、（ｂ）は同じく下面側から見た斜視図。
【図６】（ａ）上記外装カバーに枕本体とともに調整シートを収容した枕を上面側から見た斜視図、（ｂ）は同じく下面側から見た斜視図。
【図７】この発明の第３の実施の形態を示す枕を下面側から見た斜視図。
【符号の説明】
【００４７】
２…枕、３…枕本体、４，１４…外装カバー、５…土手部、６…載置部、７…マイクロフォン、８…録音機、１１…高さ調整手段、１２…調整シート、１７…ゴム紐（弛み除去手段）。
【図１】
2006262914.tif 000003
【図２】
2006262914.tif 000004
【図３】
2006262914.tif 000005
【図４】
2006262914.tif 000006
【図５】
2006262914.tif 000007
【図６】
2006262914.tif 000008
【図７】
2006262914.tif 000009